(57)【要約】【課題】過電流保護素子に対する保護構造の簡素化を図る。【解決手段】回路基板２のケースカバー５で囲まれた一半部３には、島側電源装置からの交流電源を直流電源に変換して電源装置とは別体の制御装置に出力する直流電源生成部を構成する多数の部品と、直流電源生成部の過電流を抑制するメインヒューズ５１およびポリスイッチ５２とが搭載され、回路基板２のケースカバー５より突出した他半部４には直流電源生成部の過電流を抑制する出力側ヒューズ５８が搭載され、出力側ヒューズ５８にヒューズカバー６０が被せられる一方、回路基板２とケースカバー５およびケースベース６とが互いに取り付けられることで、回路基板２がケースカバー５およびケースベース６で上下から覆われ、ケースベース６とケースカバー５とよりなるケース１で囲まれた閉鎖空間に直流電源生成部およびメインヒューズ５１と出力側ヒューズ５８およびポリスイッチ５２が配置される。【選択図】        図１
2004290308.tif 000002
【特許請求の範囲】
【請求項１】
回路基板とケースとで囲まれた閉鎖空間に、島側電源装置から供給された交流電源を遊技機で使用する直流電源に変換する直流電源生成部と、直流電源生成部の過電流を抑制する過電流保護素子とを備えた遊技機の電源装置において、過電流保護素子が正の温度係数を有するポリマー系のサーミスタで構成されたことを特徴とする遊技機の電源装置。
【発明の詳細な説明】
【０００１】
【発明の属する技術分野】
本発明は島側電源装置から供給された交流電源を遊技機で使用される直流電源に変換して接続機器に出力する遊技機の電源装置であって、特に、接続機器や電源装置に内蔵された電気部品に対する過電流を抑制する過電流保護素子周りの構造に関する。
【０００２】
【従来の技術】
従来のパチンコ機の電源装置は直流電源生成部と過電流保護素子と回路基板およびケースを備える。直流電源生成部および過電流保護素子は回路基板に搭載される。直流電源生成部は島側電源装置から供給された交流電源を直流電源に変換する。直流電源生成部を構成する種々の電気部品は回路基板とケースとで囲み形成された閉鎖空間に配置される。過電流保護素子は過電流が流れると溶融切断（溶断）して直流電源生成部に流れる過電流を遮断するヒューズで形成され、上記電気部品や電源装置に接続される接続機器を過電流から保護している（例えば、特許文献１参照）。
【０００３】
【特許文献１】
特開２００１−２９５５３号公報（第１頁、要約、図１）
【０００４】
【発明が解決しようとする課題】
しかしながら、前記従来例はヒューズの交換容易性の観点から、ヒューズが閉鎖空間の外部に配置つまり回路基板のケースより突出した部分に搭載された構造であるため、パチンコ機の裏側で落下した球のヒューズへの直撃を防止するべく、ケースや回路基板とは別体で竹を割ったような半割筒状に形成されたカバーがヒューズに被せられる必要があるという問題点があった。
【０００５】
そこで、本発明は電源装置に既存のケースと回路基板とで囲まれた閉鎖空間に配置された過電流保護素子を可逆性の有る素子構造にすることにより、過電流保護素子に対するものの直撃からの保護構造を簡素にすることができる遊技機の電源装置を提供するものである。
【０００６】
【課題を解決するための手段】
本発明にあっては、回路基板とケースとで囲まれた閉鎖空間に、島側電源装置から供給された交流電源を遊技機で使用する直流電源に変換する直流電源生成部と、直流電源生成部の過電流を抑制する過電流保護素子とを備えた遊技機の電源装置において、過電流保護素子が正の温度係数を有するポリマー系のサーミスタで構成されたことによって、電源装置が遊技機に取り付けられた状態において、球やメダルのようなものが電源装置に向けて落下しても、電源装置に既存のケースがサーミスタに対するものの直撃を防止し、ケースや回路基板とは別体の部材を省くことができ、サーミスタへのものの直撃を防止する保護構造を簡素にすることができる。
【０００７】
【発明の実施の形態】
図１−４は第１実施形態であって、図１は遊技機の電源装置を縦方向に切断した断面を模式的に示し、図２は遊技機の電源装置の分解された外観を示し、図３は電源装置の外観を示し、図４は電源装置の回路構成を模式的に示す。
【０００８】
図２を参照し、遊技機としてパチンコ機を例示してパチンコ機の電源装置について説明する。電源装置はケース１で囲まれた閉鎖空間に回路基板２の一半部３を格納し、回路基板２の他半部４をケース１より外側に突出した形態である。ケース１は回路基板２に対し上側となるケースカバー５と回路基板２に対し下側となるケースベース６とにより構成される。ケースカバー５は２つのフィン付放熱板７；８と１つの板状放熱板９と有孔カバー１１とを備える。２つのフィン付放熱板７；８は互いにフィンを外側に向けた格好で左右に相対峙するように回路基板２に取り付けられる。その取り付けられた形態はフィン付放熱板７；８のフィンが回路基板２の盤面と平行する方向に条を形成する格好である。板状放熱板９は下端部から内側に折り曲げられた複数の取付脚１２を備え、両端部から内側に折り曲げられた連接部１３を備え、上端部に複数の被係合部１４を備える。
【０００９】
そして、図外の止ねじが回路基板２の下方より回路基板２に形成された貫通孔を経由して取付脚１２のねじ孔（孔の内周面に雌ねじの形成された孔）に締結されることによって、板状放熱板９が回路基板２に取り付けられる。また、止ねじが連接部１３の外側から連接部１３に形成された貫通孔を経由してフィン付放熱板７；８の一端に形成されたねじ孔に締結されることによって、連接部１３が２つのフィン付放熱板７；８に個別に取り付けられる。被係合部１４は板状放熱板９から内側に折り曲げられた支持部と支持部の先端から横方向に折り曲げられたフック部とを備えた形態に切り起こされる。よって、板状放熱板９には被係合部１４の周りに被係合部１４を形成する場合の残渣孔（加工跡としての孔）が設けられる。被係合部１４におけるフック部と板状放熱板９との間の隙間は有孔カバー１１における係合部１５の支持部を挿入し得る形態である。
【００１０】
有孔カバー１１は方形な上壁１６と上壁１６の前側に連接された斜壁１７と斜壁１７の一側に連接された縦壁１８とを備える。これらの上壁１６、斜壁１７、縦壁１８には放熱孔１９を多数個備える。上壁１６における斜壁１７と相対峙する後側と右側とには上壁１６から下方に折り曲げられたリブ２１；２２を備える。後側のリブ２１には複数の係合部１５を備える。係合部１５は後側のリブ２１から下方に延設された支持部と支持部の先端から横方向に突出したフック部とを備え、フック部と後側のリブ２１との間に形成された隙間が板状放熱板９における被係合部１４の支持部を収納する形態である。有孔カバー１１における２つのリブ２１；２２の交差部分には板状放熱板９における連接部１３の屈曲部を逃げる切欠部２３が形成される。有孔カバー１１における縦壁１８の左右両端部には覆壁２４；２５が内側に折り曲げられる。左側の覆壁２４における後縁には貫通孔２６を有する取付脚２７が外側に折り曲げられる。右側の覆壁２５における下縁には貫通孔２８を有する取付脚２９が外側に折り曲げられる。有孔カバー１１における上壁１６の左側には延設壁３１とストッパ３２とが設けられる。延設壁３１は左側の取付脚２７と干渉しない位置に配置される。ストッパ３２と延設壁３１との間には板状放熱板９における左側の連接部１３を取り込む隙間３３が形成される。ストッパ３２は上壁１６より下方に折り曲げられる。
【００１１】
ケースベース６は回路基板２とほぼ同形な底壁３４と底壁３４の上面に貼り付けられた薄膜状の絶縁板３５と底壁３４の隅部を除く周縁より上方に折り曲げられた前後左右壁３６；３７；３８；３９とを備える。底壁３４の隅部には電源装置をパチンコ機の裏側に取り付けるねじのための貫通孔４１が形成される。前壁３６は上端より内側に折り曲げられた複数の組付脚４２とこれらの組付脚４２の間に上端より内側に押し出された基板受部４３とを有する。左壁３８は上端より内側に押し出された複数の基板受部４３を有する。後壁３７は中間部分より内側に折り曲げられた複数の組付脚４２と中間部分より内側に押し出された基板受部４３と上端より内側に押し出された抜止部４４とを有する。後壁３７の抜止部４４は回路基板２が固定された状態において回路基板２の他半部４に対応する位置に設けられている。組付脚４２の上面と基板受部４３の上端面とは１つの平面内に位置する。つまり、底壁３４から組付脚４２の上面までの高さと底壁３４から基板受部４３の上端面までの高さとは同じ寸法になっている。抜止部４４と基板受部４３との間には回路基板２を受入れる隙間が形成される。各抜止部４４の下端面は１つの平面内に位置する。つまり、底壁３４から各抜止部４４の下端面までの高さは同じ寸法になっている。
【００１２】
電源装置の組立方について説明する。回路基板２の一半部３つまりフィン付放熱板７；８および板状放熱板９で囲まれた領域には、メインヒューズ５１、ポリスイッチ５２、コンデンサ５３、コイル５４、抵抗器５５、電源ＩＣ５６、トランジスタ５７、リレー、トランス、ダイオード、チョッパコンバータまたはアクティブフィルタ、サージアブソーバのような多数の部品が搭載されるとともに、回路基板２の一半部３以外の領域である他半部４つまり左側のフィン付放熱板７よりも左側の領域には、出力側ヒューズ５８、コネクタ６１；６２；６３；６４、スイッチ装置６５；６６、ＬＥＤ６７のような多数の部品が搭載される。メインヒューズ５１は直流電源生成部に対する入力側の過電流を抑制する過電流保護素子である。ポリスイッチ５２および出力側ヒューズ５８は直流電源生成部に対する出力側の過電流を抑制する過電流保護素子である。
【００１３】
ポリスイッチ５２は正の温度係数を有するポリマー系のサーミスタ（ＰＴＣサーミスタ、ＰＴＣ＝Ｐｏｓｉｔｉｖｅ  Ｔｅｍｐｅｒａｔｕｒｅ  Ｃｏｅｆｆｉｃｉｅｎｔ）の一種であって、タイコエレクトロニクスレイケム（株）の製品名である。ポリスイッチ５２は電流の流れる量が多くなって温度が上がると抵抗が高くなることで電源装置から流出する電流の流れを遮断する一方、電流の流れる量が少なくなって温度が下がると抵抗が低くなることで電源装置から流出する電流の流れを許容する可逆性を有する。つまり、ポリスイッチ５２は過電流を制限した状態（高抵抗状態）から過電流が取り除かれれば、抵抗値が元の低い抵抗値に戻るので交換の必要がない。ポリスイッチ５２は板状に形成された導電性ポリマーを金属箔で挟んだ素子本体が絶縁体で覆われるとともに金属箔それぞれに接続された一対の電極が絶縁体より突出した形態である。ポリスイッチは導電性ポリマーが過電流による加熱で膨張すると、導電性ポリマーに混入された導電体が密状態から粗状態となって、ポリスイッチの抵抗が高くなる（無限大にならない）。よって、導電性ポリマーの導電体が粗状態になっても、ポリスイッチに過電流の供給源が接続されている限り、ポリスイッチに電流制限状態を維持する程度の電流が流れる。
【００１４】
図１にも示すように、メインヒューズ５１および出力側ヒューズ５８はガラス管の内部に挿入された糸ヒューズの両端をガラス管の両端外側に封止された筒状の電極に接続した管ヒューズである。メインヒューズ５１および出力側ヒューズ５８は両端の電極が回路基板に挿入実装された二股状のヒューズステー５９に個別に挿入装着される。出力側ヒューズ５８とこのヒューズステー５９とにはヒューズカバー６０が被せられる。ヒューズカバー６０は外部より内部を見ることが可能な透視性の有るシリコンのような可撓性の有る合成樹脂で形成され、竹を割ったような両端の閉鎖された半割筒状である。
【００１５】
引き続き、回路基板２のフィン付放熱板７；８や板状放熱板９を搭載した表面とは反対側の裏面とケースベース６の絶縁板３５を有する上面とが対峙する格好で、回路基板２がケースベース６に載せられる。具体的には、回路基板２と抜止部４４とが互いに干渉しないように、回路基板２の裏面がケースベース６の組付脚４２と基板受部４３とに載せられる。この回路基板２がケースベース６に載せられた形態では、ケースベース６の右壁３９と回路基板２の右端面とが接触し、ケースベース６の後壁３７と回路基板２との間には回路基板２と抜止部４４とが干渉しないための隙間が形成されている。
【００１６】
そして、回路基板２が前側から後側に横移動されることで、回路基板２における他半部４の後端部が基板受部４３と抜止部４４との間の隙間に取り込まれ、回路基板２の後端面がケースベース６の後壁３７（後壁３７の組付脚４２より上方に突出した部分）に接触すると、回路基板２に形成された貫通孔６９とケースベース６の組付脚４２に形成されたねじ孔７１とが上下方向で対応する。ケースベース６における後壁３７の右側の組付脚４２に形成されたねじ孔７１には、回路基板２の右端と後端との交差する部分における隅部に形成された図外の貫通孔が対応する。図外の止ねじが回路基板２の右端と前端との交差する部分における貫通孔６９以外の貫通孔６９を経由してケースベース６における組付脚４２のねじ孔７１に締結されることで、回路基板２がケースベース６に取り付けられる。
【００１７】
その後、有孔カバー１１の縦壁１８が下方に向けられるとともに上壁１６が回路基板２と対峙する格好で、有孔カバー１１が回路基板２の一半部３を覆うように回路基板２とフィン付放熱板７；８および板状放熱板９に載せられる。有孔カバー１１が回路基板２とフィン付放熱板７；８および板状放熱板９に載せられる過程では、有孔カバー１１の係合部１５と板状放熱板９の被係合部１４とが干渉しない位置で、有孔カバー１１における左側の係合部１５が板状放熱板９の被係合部１４と連接部１３との間に挿入されるとともに、有孔カバー１１における右側の係合部１５が板状放熱板９における複数の被係合部１４間に挿入される。そして、有孔カバー１１の取付脚２９が回路基板２に接触するとともに有孔カバー１１の延設壁３１がフィン付放熱板７の上面に接触するとともに有孔カバー１１における後側のリブ２１が板状放熱板９における被係合部１４の支持部に接触する。
【００１８】
その状態において、有孔カバー１１が左側から右側へ横移動されることで、有孔カバー１１における係合部１５のフック部と後側のリブ２１との間における隙間に板状放熱板９における被係合部１４の支持部が収納された後に、被係合部１４におけるフック部と板状放熱板９との間の隙間に有孔カバー１１における係合部１５の支持部が挿入されることによって、有孔カバー１１の係合部１５と板状放熱板９の被係合部１４とが互いに前後方向および上下方向に移動不能な形態で係合する。そして、ストッパ３２と延設壁３１との間の隙間に板状放熱板９における左側の連接部１３が取り込まれ、有孔カバー１１のストッパ３２と板状放熱板９の連接部１３とが接触するとともに有孔カバー１１における右側のリブ２２がフィン付放熱板８の左面に接触する。
【００１９】
その状態では、有孔カバー１１の取付脚２９に形成された貫通孔２８および回路基板２の貫通孔６９とケースベース６の組付脚４２に形成されたねじ孔７１とが上下方向で対応するとともに、有孔カバー１１の取付脚２７に形成された貫通孔２６とフィン付放熱板７に形成されたねじ孔７２とが前後方向で対応する。そして、止ねじ７３が有孔カバー１１における取付脚２９の貫通孔２８および回路基板２における右端と前端との交差する部分の貫通孔６９を経由してケースベース６における組付脚４２のねじ孔７１に締結される一方、止ねじ７４が有孔カバー１１における取付脚２７の貫通孔２６を経由してフィン付放熱板７のねじ孔７２に締結されることで、ケースベース６と回路基板２とフィン付放熱板７と板状放熱板９およびケースベース６が互いに結合される。これにより、図３に示すように、電源装置が組み立てられる。
【００２０】
この組み立てられた電源装置では、フィン付放熱板７；８および板状放熱板９が回路基板２の一半部３を左右および後側から囲み、上方および前方開放状のフィン付放熱板７；８および板状放熱板９を有孔カバー１１が閉鎖することで、有孔カバー１１とフィン付放熱板７；８および板状放熱板９で形成されたケースカバー５が回路基板２の一半部３を上側から覆う一方、ケースベース６が回路基板２の裏面全てを下側から覆う。よって、入力側処理部と直流電源生成部とを形成するメインヒューズ５１、ポリスイッチ５２、コンデンサ５３、コイル５４、抵抗器５５、電源ＩＣ５６、トランジスタ５７、リレー、トランス、ダイオード、チョッパコンバータまたはアクティブフィルタ、サージアブソーバなどの多数の部品がケースカバー５およびケースベース６で形成されたケース１で囲まれた閉鎖空間に格納された回路基板２の一半部３に搭載されて当該閉鎖空間に配置された形態となる。
【００２１】
コネクタ６１は島側電源装置からの交流電源を入力側処理部に入力する図４の入力部７５を構成し、このコネクタ６１には電源装置とは別体の島側電源装置が接続される。コネクタ６２；６３は図４の直流電源生成部６８で変換された直流電源を出力する図４の出力部７６；７７を構成し、コネクタ６４は交流電源を出力する図４の出力部７８を構成し、このコネクタ６２−６４には電源装置とは別体の制御装置が接続される。スイッチ装置６５は電源装置の電源投入を行うスイッチであって、操作部が押されることによってその位置を上記操作力が解除されても上記位置をそのまま保持する２位置切換形スイッチのような構造である。スイッチ装置６６は電源装置に接続される制御装置に初期化処理を促すスイッチであって、操作部への押すような操作力が解除されるのに伴い操作部が上方に復帰するプッシュプルスイッチのような構造である。ＬＥＤ６７は電源装置の入力部７５に対する異常・正常接続を色変えで表示し、光３原色素子または光２原色素子を有するＬＥＤ６７で形成される。例えば、異常接続として１００ボルトのような電源が電源装置の入力部７５に接続された場合にはＬＥＤ６７が赤色を発光し、正常接続として２４ボルトの島側電源装置が電源装置の入力部７５に接続された場合にはＬＥＤ６７が緑色に発光する。
【００２２】
図４を参照し、電源装置の回路構成について説明する。入力側処理部７９は、メインヒューズ５１、１００Ｖ検出回路８１、リレー８２、アラーム内部表示回路８３、リレー制御回路８４、投入操作検出回路８５を備える。直流電源生成部６８は、ポリスイッチ５２、出力側ヒューズ９２；９３、ノイズフィルタ８６、全波整流回路８７、力率改善回路８８、平滑コンデンサよりなる平滑回路８９、ＤＣ５Ｖ過電流検出回路９４、ＤＣ５Ｖ電源回路９５、ＤＣ５Ｖ過電圧検出回路９６、ＤＣ１２Ｖ過電流検出回路９７、ＤＣ１２Ｖ電源回路９８、ＤＣ１２Ｖ過電圧検出回路９９、電源表示回路１０１、サージアブソーバ１０２；１０３；１０４、バックアップ回路１０５、初期化操作検出回路１０６を備える。
【００２３】
メインヒューズ５１は入力部７５とノイズフィルタ８６とを結ぶ経路における１００Ｖ検出回路８１の入力端よりも前段側に設けられる。メインヒューズ５１の糸ヒューズのようなヒューズ素子は１０アンペア対応になっている。ポリスイッチ５２は出力部７８におけるＡＣ２４ボルトのような交流電源を取り出すＡＣ２４Ｖと一方のサージアブソーバ１０２とをつなぐ経路に接続される。ポリスイッチ５２は１アンペア対応になっている。よって、ポリスイッチ５２は１アンペアを越える過電流で高抵抗状態となって電流の流れを遮断する。出力側ヒューズ９２は出力部７６におけるＡＣ２４ボルト全波整流のような直流電源を取り出すＡＣ２４Ｖ全波整流と全波整流回路８７の出力端とをつなぐ経路に接続される。出力側ヒューズ９２の糸ヒューズのようなヒューズ素子は５アンペア対応になっている。出力側ヒューズ９３は出力部７７におけるＤＣ３２ボルトのような直流電源を取り出すＤＣ３２Ｖと平滑回路８９の出力端とを結ぶ経路に接続される。出力側ヒューズ９３の糸ヒューズのようなヒューズ素子は５アンペア対応になっている。出力側ヒューズ９２；９３は図２の出力側ヒューズ５８それぞれに相当する。
【００２４】
入力部７５は島側電源装置１０７より供給されたＡＣ２４ボルトのような交流電源を入力するためのコネクタ６１であって、島側電源装置１０７の出力部に対する電線用の複数の給電接続部と、電源装置が搭載されるパチンコ機の金属部分に接続するためのフレームグランド接続部とを有する。出力部７８はＡＣ２４ボルトのような交流を例えばプリペイドカードユニットに出力するためのコネクタ６４であって、プリペイドカードユニットの入力部に対するＡＣ２４Ｖを備える。出力部７６におけるＡＣ２４Ｖ全波整流には例えば表示灯を制御する表示灯制御回路が接続される。出力部７７におけるＤＣ３２Ｖには例えば球発射用の電動アクチュエータを制御する球発射制御回路が接続される。プリペイドカードユニットは許容される過電流が表示灯制御回路および球発射制御回路よりも小さな１アンペアであり、表示灯制御回路および球発射制御回路は許容される過電流がプリペイドカードユニットよりも大きな５アンペアである。出力部７８に接続される機器はプリペイドカードユニットに限定されずに、交流電源で動作するとともに１アンペア対応の制御装置が適用できる。
【００２５】
出力部７６はＡＣ２４Ｖ全波整流に加え、ＤＣ１２ボルト、ＤＣ５ボルト、５ボルトバックアップのような直流電源を出力する５ＶＢと、基準電位であるグランド（ＧＮＤ）と、初期化指示信号とを出力するためのコネクタ６２である。出力部７７はＤＣ３２Ｖ、ＤＣ１２Ｖ、ＤＣ５Ｖ、５ＶＢのような直流電源と、基準電位であるＧＮＤ、初期化指示信号を出力するためのコネクタ６３である。
【００２６】
ＡＣ２４ボルトはリレー８２のリレー接点１０８とノイズフィルタ８６との間より出力される。ＡＣ２４ボルト全波整流は全波整流回路８７と力率改善回路８８との間より出力される。ＤＣ３２ボルトは平滑回路８９と５Ｖ・１２Ｖ電源回路９５；９８との間より出力される。５Ｖ過電圧検出回路９６、１２Ｖ過電圧検出回路９９、バックアップ回路１０５、ＧＮＤそれぞれの出力が回路基板２に形成された回路パターンにより分岐されて、出力部７６；７７のＤＣ１２ボルト（ＤＣ１２Ｖ）、ＤＣ５ボルト（ＤＣ５Ｖ）、５ボルトバックアップ（５ＶＢ）、グランド（ＧＮＤ）に接続される。出力部７８のＡＣ２４Ｖはサージアブソーバ１０２；１０３を通じて電源装置のフレームグランドＦ．Ｇに接続される。出力部７６；７７のＧＮＤはサージアブソーバ１０４を介して電源装置のフレームグランドＦ．Ｇに接続される。サージアブソーバ１０２；１０３；１０４は、出力部７６−７８それぞれに流入した静電気のようなノイズを除去する。
【００２７】
１００Ｖ検出回路８１は入力部７５およびメインヒューズ５１を通じて供給される交流電源を整流するとともに平滑し、その平滑電源から入力部７５に接続された交流電源を検出する。そして、１００Ｖ検出回路８１はＡＣ１００ボルト電源が接続されたことを検出した場合はリレー制御回路８４へのリレー駆動電源の供給を遮断し、入力部７５に島側電源装置１０７が接続されてＡＶ２４ボルトが供給された場合は上記平滑電源をリレー駆動電源としてリレー制御回路８４へ供給する。アラーム内部表示回路８３は１００Ｖ検出回路８１がＡＣ１００ボルトを検出することにより図２のＬＥＤ６７のようなアラーム表示部品を赤色で点灯すべく制御する。
【００２８】
リレー８２は常開接点形である。リレー制御回路８４は１００Ｖ検出回路８１からのリレー駆動電源と、スイッチ装置６５のオンまたはオフ動作に基づく投入操作検出回路８５からの投入操作検出信号と、５Ｖ過電圧検出回路９６からの過電圧検出信号と、１２Ｖ過電圧検出回路９９からの過電圧検出信号とにより、リレー８２のリレーコイル１０９への電力供給または遮断を制御する。具体的には、１００Ｖ検出回路８１がＡＣ２４ボルトのような正常な電圧を検出した場合に、リレー制御回路８４からリレーコイル１０９に供給された励磁電力でリレー接点１０８が閉成するように、リレー８２が正常動作する。１００Ｖ検出回路８１がＡＣ１００ボルトのような過電圧を検出した場合または５Ｖ過電圧検出回路９６が過電圧を検出した場合あるいは１２Ｖ過電圧検出回路９９が過電圧を検出した場合に、リレー制御回路８４からリレーコイル１０９への励磁電力が遮断されることでリレー接点１０８が開成するように、リレー８２が全体をオフする。
【００２９】
つまり、１００Ｖ検出回路８１がＡＣ１００ボルトを検出せず、５Ｖ過電圧検出回路９６および１２Ｖ過電圧検出回路９９が過電圧を検出していない場合、リレー制御回路８４はスイッチのオンまたはオフ動作に応じてリレー８２のリレーコイル１０９に電力を供給または遮断する。投入操作検出回路８５はスイッチ装置６５のオンまたはオフ動作による投入操作検出信号をリレー制御回路８４に出力する。
【００３０】
ノイズフィルタ８６はメインヒューズ５１よりリレー接点１０８を経由して入力されたＡＣ２４ボルトの交流電力に乗ってきた電源ラインノイズを除去するとともにＡＣ２４ボルトを後段の全波整流回路８７に出力する。全波整流回路８７はノイズフィルタ８６より入力されたＡＣ２４ボルトの交流電源を全波整流して後段の力率改善回路８８に出力する。力率改善回路８８は全波整流回路８７より入力された電力の力率を改善して後段の平滑コンデンサによる平滑回路８９に出力する。力率改善回路８８は昇圧型チョッパコンバータによるアクティブフィルタまたはチョークコイルによるチョークインプットの何れかにより形成される。
【００３１】
アクティブフィルタの場合は全波整流回路８７より入力された脈流を数十ｋＨｚ以上の周波数で全周期にわたりスイッチングすることにより、力率を改善する。つまり、電流波形がスイッチング電流の各周期毎の平均値となり、負荷に大きなコンデンサが存在しても、係るコンデンサが抵抗負荷と等価となり、スイッチング電流がマクロ的にはサインカーブとなって流れ、高調波を低減する。チョークインプットの場合は出力電圧が昇圧されないので、出力電圧は２４ボルトの√２（ルート２）倍の電圧から損失を引いたピーク電圧となる。
【００３２】
平滑回路８９は力率改善回路８８からの電圧をコンデンサにより充電することにより、平坦な電圧波形として後段の５Ｖ電源回路９５および１２Ｖ電源回路９８に出力する。５Ｖ電源回路９５は平滑回路８９と５Ｖ過電流検出回路９４とに接続され、１２Ｖ電源回路９８は平滑回路８９と１２Ｖ過電流検出回路９７とに接続される。５Ｖ電源回路９５からの流出電流を監視し、１２Ｖ過電流検出回路９７は１２Ｖ電源回路９８からの流出電流を監視する。もしも、５Ｖ電源回路９５に電源装置の出力部７６−７８を介して接続された制御装置に短絡が発生した場合、上記監視している流出電流も異常に増加するため、５Ｖ過電流検出回路９４は過電流と判断しその判断結果を５Ｖ電源回路９５へ伝達する。１２Ｖ電源回路９８に電源装置の出力部７６−７８を介して接続された制御装置に短絡が発生した場合、上記監視している流出電流も異常に増加するため、１２Ｖ過電流検出回路９７は過電流と判断しその判断結果を１２Ｖ電源回路９８へ伝達する。
【００３３】
これによって、５Ｖ電源回路９５では５Ｖ過電流検出回路９４からの過電流検出信号を受けて、５Ｖ電源回路９５の出力電圧若しくは出力電流あるいは双方を低下させることで自らを保護する。１２Ｖ電源回路９８では１２Ｖ過電流検出回路９７からの過電流検出信号を受けて、１２Ｖ電源回路９８の出力電圧若しくは出力電流あるいは双方を低下させることで自らを保護する。５Ｖ電源回路９５、１２Ｖ電源回路９８はシリーズレギュレータ、スイッチングレギュレータなどのうちでいずれか１つにより形成され、５Ｖ電源回路９５が平滑回路８９からの電圧をＤＣ５ボルトの定電圧として後段の５Ｖ過電流検出回路９４に出力し、１２Ｖ電源回路９８が平滑回路８９からの電圧をＤＣ１２ボルトの定電圧として後段の１２Ｖ過電流検出回路９７に出力する。
【００３４】
５Ｖ過電圧検出回路９６は５Ｖ過電流検出回路９４より入力された電圧を検出し、検出電圧がＤＣ５ボルトより大きい場合はリレー制御回路８４に過電圧検出信号を出力し、検出電圧がＤＣ５ボルト以下の場合は動作せずそのままＤＣ５ボルトを電源表示回路１０１とバックアップ回路１０５および出力部７６；７７のＤＣ５Ｖに出力する。１２Ｖ過電圧検出回路９９は１２Ｖ過電流検出回路９７より入力された電圧を検出し、検出電圧がＤＣ１２ボルトより大きい場合はリレー制御回路８４に過電圧検出信号を出力し、検出電圧がＤＣ１２ボルト以下の場合は動作せずそのままＤＣ１２ボルトを電源表示回路１０１および出力部７６；７７のＤＣ１２Ｖに出力する。電源表示回路１０１は平滑回路８９より１２Ｖ過電圧検出回路９９を経由して入力されるＤＣ１２ボルトにより電源装置がオン動作していることをＬＥＤ６７のようなアラーム表示部品を緑色で点灯すべく制御する。
【００３５】
バックアップ回路１０５は５Ｖ過電圧検出回路９６に接続されたダイオード１１１とダイオード１１１に接続されたコンデンサ１１２とを有し、ＤＣ５ボルトをコンデンサ１１２で充電するとともに充電された電流の出力部７６；７７におけるＤＣ５Ｖの側への逆流をダイオード１１１で防止することで、出力部７６；７７のＤＣ５Ｖよりも電源保持時間の長く設定された５ボルトバックアップを出力部７６；７７の５ＶＢに出力する。初期化操作検出回路１０６は制御装置に初期化処理を促すためのものである。初期化操作検出回路１０６はスイッチ装置６６の操作を検出して出力部７６；７７に初期化指示信号を出力し、初期化操作部への操作が解除されると初期化指示信号の出力を遮断する。
【００３６】
例えば、ＡＣ２４Ｖを有する出力部７８には例えばカードサンドと呼ばれる台間球貸機を制御するプリペイドカードユニットが接続され、ＡＣ２４ボルト全波整流を有する出力部７６には例えば主制御装置が接続され、ＤＣ３２Ｖを有する出力部７７には例えば払出制御装置が接続される。主制御装置はボードマイコンのようなコンピュータを内蔵し遊技全般の制御処理を実行する制御装置である。払出制御装置は主制御装置からの賞球払出指示とプリペイドカードユニットからの貸球払出指示とにより、パチンコ機の裏側に設けられた球払出機構の電動アクチュエータを駆動し、球払出機構がパチンコ機の前側に球を払い出す。
【００３７】
第１実施形態の構造によれば、直流電源生成部６８の過電流を抑制する過電流保護素子がメインヒューズ５１と出力側ヒューズ５８；９２；９３およびポリスイッチ５２で形成されるとともに、メインヒューズ５１およびポリスイッチ５２がケース１で囲まれた閉鎖空間に格納された回路基板２の一半部３に搭載されているので、電源装置がパチンコ機の裏側に取り付けられた状態において、パチンコ機の裏側で球が落下しても、ケース１でメインヒューズ５１およびポリスイッチ５２への球の直撃を防止することができる。メインヒューズ５１およびポリスイッチ５２を球の直撃から保護するための保護構造として電源装置に既存したケース１を用いることから、保護構造を簡素にすることができる。ポリスイッチ５２がケース１で保護されたことから、球の直撃を受けない。よって、ポリスイッチ５２におけるポリマーの特性が適切に保持される。
【００３８】
入力側の過電流保護素子をメインヒューズ５１に代えてポリスイッチにすることもできるが、第１実施形態では入力側の過電流保護素子をヒューズで形成している。その理由は、次のとおりである。メインヒューズ５１が溶断するような過電流が電源装置に流入した場合、直流電源生成部６８や入力側処理部７９が過電流で破壊された可能性がある。このため、過電流の喪失に伴い電流を正常に流す状態に復帰するという可逆性を有するポリスイッチをメインヒューズ５１として使用するよりも、１０アンペアを越える過電流が流れることで溶断しっぱなしとなる不可逆性なヒューズ素子を有するメインヒューズ５１を使用すれば、メインヒューズ５１が溶断した場合、直流電源生成部６８を構成する電気部品や入力側処理部７９を構成する電気部品が損傷を受けている可能性を店員にメインヒューズ５１の溶断で知らせることができる。
【００３９】
図３に示したように、有孔カバー１１の縦壁１８が下方に向けられるとともに有孔カバー１１の上壁１６が後側に向けられた格好で、電源装置がパチンコ機における遊技機枠１１３の裏側に取り付けられれば、電源装置が駆動されることで発生した熱を電源装置の外部に自然な熱の流れで放出することができる。つまり、電源装置からの発熱により、ケース１で囲まれた閉鎖空間内に存在する空気が暖められてケース１で囲まれた閉鎖空間で上昇し板状放熱板９の内側面に沿って横方向に移動した後に上壁１６の放熱孔１９より電源装置の外部に放出される。これに伴い、ケース１で囲まれた閉鎖空間周りの空気が縦壁１８の放熱孔１９よりケース１で囲まれた閉鎖空間内に流入し、流入した空気が電源装置の部品を冷却して電源装置からの発熱で再び暖められて上昇し、上壁１６の放熱孔１９よりケース１で囲まれた閉鎖空間の外部に放出される、というように空気の自然な流れが形成される。電源装置が上述した格好で遊技機枠１１３の裏側に取り付けられると、フィン付放熱板７；８のフィンに形成された条が上下に向くことから、フィン付放熱板７；８からの熱により暖められた空気がフィンの下方から上方に逃げ易くなり、フィン付放熱板７；８からの放熱性もよくなる。
【００４０】
ケースベース６に組付脚４２と基板受部４３とが設けられたことから、島側電源装置１０７または制御装置に接続されたコネクタを回路基板２の他半部４に搭載されたコネクタ６１−６４に接続する場合、島側電源装置１０７または制御装置のコネクタから回路基板２のコネクタ６１−６４を介して回路基板２にケースベース６側に押付けられる方向の力が加わってもこの力がケースベース６の組付脚４２と基板受部４３とによって受け止められるので、回路基板２が折れるようなことを防止することができる。ケースベース６の抜止部４４は回路基板２の他半部４に対応して設けられたことから、回路基板２のコネクタ６１−６４に接続された島側電源装置１０７または制御装置のコネクタを引抜く場合、島側電源装置１０７または制御装置のコネクタから回路基板２のコネクタ６１−６４を介して回路基板２にケースベース６から離される方向の力が加わってもこの力がケースベース６の抜止部４４と組付脚４２に締結された止ねじが受け止められるので、回路基板２が損傷することはない。
【００４１】
図５は第２実施形態を示す。第２実施形態では図４の出力側ヒューズ９２；９３に代えてポリスイッチ１２０；１２１を使用することで、出力側の全ての過電流保護素子をポリスイッチ５２；１２０；１２１で形成している。そして、メインヒューズ５１およびポリスイッチ５２；１２０；１２１つまり過電流保護素子の全てをケース１で囲まれた閉鎖空間に格納された回路基板２の一半部３に搭載している。出力側の全ての過電流保護素子がポリスイッチ５２；１２０；１２１で形成されたことによって、過電流が電源装置の内部から出力部７６−７８に向けて流れたり、過電流が出力部７６−７８から電源装置の内部に向けて流れた場合、ポリスイッチ５２；１２０；１２１およびサージアブソーバ１０２；１０３；１０４を経由してフレームグランドＦ．Ｇに流れるので、過電流から直流電源生成部６８および入力側処理部７９を保護することができる。また、ポリスイッチ５２；１２０；１２１はヒューズに比べて交換する必要がないので、電源装置が取り扱い易い。
【００４２】
電源装置はパチンコ機に限ることなくスロットマシンにも適用できる。スロットマシンの内部に貯蔵されたメダルの数が少なくなり、遊技店の店員がスロットマシンを開いてスロットマシンの内部におけるメダルを貯蔵するホッパーにメダルを供給する際に、メダルやメダルを入れた箱がメインヒューズ５１またはポリスイッチ５２；１２０；１２１に接触することがない。また、遊技店に遊技機を運搬したり、遊技店の遊技機を設置する場合にも、メインヒューズ５１よりも硬いものや作業者の手がメインヒューズ５１に接触することを防止することができる。
【図面の簡単な説明】
【図１】第１実施形態の遊技機の電源装置を示す断面模式図。
【図２】同実施形態の電源装置を示す分解斜視図。
【図３】同実施形態の電源装置を示す外観図。
【図４】同実施形態の電源装置の内部構成を示すブロック図。
【図５】第２実施形態の電源装置の内部構成を示すブロック図。
【符号の説明】
１  ケース
２  回路基板
５２；１２０；１２１  ポリスイッチ
６８  直流電源生成部
１０７  島側電源装置
【図１】
2004290308.tif 000003
【図２】
2004290308.tif 000004
【図３】
2004290308.tif 000005
【図４】
2004290308.tif 000006
【図５】
2004290308.tif 000007